【事件の表示】
　特願２００９−５５３４９７「交流駆動型の発光ダイオード」拒絶査定不服審判事件〔平成２０年　９月１８日国際公開、ＷＯ２００８／１１１６９３、平成２２年　６月２４日国内公表、特表２０１０−５２１８０７〕について、次のとおり審決する。
【結　論】
　本件審判の請求は、成り立たない。
【理　由】
第１　手続の経緯
　本願は、平成１９年３月１３日を国際出願日とする出願であって、平成２２年１月２８日付けで拒絶理由が通知され、同年５月１７日に特許請求の範囲を補正する手続補正がなされたが、同年８月２４日付けで拒絶査定がなされ、これに対して、同年１２月１３日に拒絶査定不服審判の請求がなされると同時に特許請求の範囲を補正する手続補正がなされたものである（以下、この平成２２年１２月１３日になされた手続補正を「本件補正」という。）。
　
第２　本件補正についての補正却下の決定
［補正却下の決定の結論］
　本件補正を却下する。
　
［理由］
１　本件補正の内容
　本件補正は、本願特許請求の範囲の請求項１を
「２０００×２０００μｍ２以下の単一基板上に形成された複数の発光セルと、
　前記複数の発光セルを互いに電気的に接続する複数の配線と、
　前記複数の配線を介して互いに直列接続された前記複数の発光セルを備える第１直列アレイと、
　前記複数の配線を介して互いに直列接続された前記複数の発光セルを備える第２直列アレイと、
　前記複数の発光セ
ルは
縦方向において１０〜３０μｍの範囲内で隣接する他の発光セルと互いに異なる距離で離間して配列され、かつ、横方向において１０〜３０μｍの範囲内で隣接する他の発光セルと互いに異なる
で離
　前記第１直列アレイ
及び前記第２直列アレイ
と補正することを含むものであって、平成１８年法律第５５号改正附則第３条第１項によりなお従前の例によるとされる同法による改正前の特許法（以下「平成１８年改正前特許法」という。）第１７条の２第４項第２号に規定する特許請求の範囲の減縮を目的とするものと認められるので、以下に、本件補正後の請求項１に係る発明（以下「本願補正発明」という。）について、独立特許要件の検討を行う。
　
２　刊行物の記載
　原査定の拒絶理由に引用された、本願の出願前に頒布された刊行物である特開２００４−６５８２号公報（以下「引用刊行物」という。）には、以下の記載がある。
　
「【００１７】
【発明の実施の形態】
以下、図面に基づき本発明の実施形態について説明する。
【００１８】
図１には、本実施形態においてＧａＮ系化合物半導体発光素子としてのＬＥＤ１の基本構成が示されている。ＬＥＤ１は、基板１０上に順次ＧａＮ層１２、Ｓｉドープのｎ型ＧａＮ層１４、ＩｎＧａＮ発光層１６、ＡｌＧａＮ層１８、ｐ型ＧａＮ層２０が積層され、ｐ型ＧａＮ層２０に接してｐ電極２２、ｎ型ＧａＮ層１４に接してｎ電極２４が形成される構成である。」
　
「【００２１】
図１では、基板１０上に一つのＬＥＤ１が形成されているが、本実施形態では、基板１０上にＬＥＤ１をモノリシックに、かつ二次元アレイ状に複数形成し、各ＬＥＤを接続して発光装置（チップ）を構成する。
【００２２】
図２には、発光装置の等価回路図が示されている。図２において、２次元アレイ状に形成された発光素子群は同数（図では４個）ずつ２組に分けられ、各組のＬＥＤ１はそれぞれ直列接続され、２組のＬＥＤ列は電極（駆動電極）に対して逆極性となるように並列接続される。このようにＬＥＤ列が直列接続されることにより、各々の駆動電圧が加算された高い電圧でＬＥＤ１を駆動することができる。また、各ＬＥＤ列はその極性が互いに反対となるように電極に並列接続されているので、電源として交流電源を使用した場合にも、電源の各周期中に必ずどちらかのＬＥＤ列が発光していることになるので、効率のよい発光を行うことができる。
【００２３】
図３には、基板１０上にモノリシックに形成された複数のＬＥＤの部分的な平面図が示されている。また、図４は、図３のＩＶ−ＩＶ断面図が示されている。図３において、ＬＥＤ１の上面には、図１に示されるようにｐ電極２２及びｎ電極２４が形成されている。隣接するＬＥＤ１のｐ電極２２とｎ電極２４との間がエアブリッジ配線２８により接続され、複数のＬＥＤ１が直列接続される。
【００２４】
図４において、各ＬＥＤ１は説明の都合上簡略的に示されている。すなわち、ｎ−ＧａＮ層１４、ｐ−ＧａＮ層２０、ｐ−電極２２、ｎ−電極２４のみが示されている。実際には図１に示されるようにＩｎＧａＮ発光層１６等が存在することは云うまでもない。エアブリッジ配線２８は、ｐ電極２２からｎ電極２４までを空中を介して接続する。これにより、素子表面に絶縁膜を塗布し、この上に電極を形成してｐ電極２２とｎ電極２４とを電気的に接続する方法に比べ、エッチング溝に沿って電極を配置する必要が無くなるので、配線切れや絶縁膜からｎ層、ｐ層へ絶縁材料を構成する元素が熱拡散してＬＥＤ１を劣化させるという問題を回避できる。エアブリッジ配線２８は、ＬＥＤ１間のみならずＬＥＤ１と図示しない電極との間の接続にも使用される。
【００２５】
また、図４に示されるように、各ＬＥＤ１は互いに独立し、電気的に絶縁される必要がある。このため、各ＬＥＤ１はサファイア基板１０上で分離された構成となっている。サファイアはそれ自身絶縁体であるので、ＬＥＤ１をそれぞれ電気的に分離することができる。このように、サファイア基板１０をＬＥＤの電気的な分離を行うための抵抗体として使用することにより、容易かつ確実にＬＥＤの電気的な分離を行うことができる。
【００２６】
なお、発光素子としては、ｐｎ接合を有するＬＥＤの他、ＭＩＳとすることもできる。
【００２７】
図５には、発光装置の他の等価回路図が示されている。図において、２０個のＬＥＤ１が直列接続されて１つのＬＥＤアレイを形成しており、２つのＬＥＤアレイ（合計４０個のＬＥＤ）が電源に並列に接続されている。ＬＥＤ１の駆動電圧は５Ｖに設定されており、各ＬＥＤアレイの駆動電圧は１００Ｖとなっている。２つのＬＥＤアレイは図２と同様に互いに反対極性となるように電源に並列接続されており、電源の極性がいずれであっても必ずどちらかのＬＥＤアレイが発光することになる。
【００２８】
図６には、二次元アレイが具体的に示されている。図２の等価回路図に対応するものである。図において、サファイア基板１０上に合計４０個のＬＥＤ１が形成されており、それぞれ２０個ずつ２組に分けられ、エアブリッジ配線２８により直列接続されて２つのＬＥＤアレイを形成している。より詳細には、各ＬＥＤ１は全て同形の正方形で同サイズであり、１つのＬＥＤアレイは上から６個、７個、７個とそれぞれ直線上に配置され、上から第１列目（６個）と第２列目（７個）は互いに逆向きに形成され、第２列目と第３列目も互いに逆向きに形成される。第１列目と第２列目、第２列目と第３列目は互いに離間して配置されている。これは、後述するように他方のＬＥＤアレイの列が交互に挿入されるためである。第１列目の右端のＬＥＤ１と第２列目の右端のＬＥＤ１とはエアブリッジ配線２８により接続される。第２列目の左端のＬＥＤ１と第３列目の左端のＬＥＤ１もエアブリッジ配線２８で接続されてジグザグ配列となる。第１列目の左端のＬＥＤ１は基板１０の左上部に形成された電極（パッド）３２にエアブリッジ配線２８で接続され、第３列目の右端のＬＥＤ１は基板１０の右下部に形成された電極（パッド）３２にエアブリッジ配線２８で接続される。２つの電極（パッド）３２もＬＥＤ１と同形の正方形である。他方のＬＥＤアレイは上述した一方のＬＥＤアレイの間隙に互い違いとなるように形成される。すなわち、他方のＬＥＤアレイは上から７個、７個、６個とそれぞれ直線上に配置され、上から第１列目は一方のＬＥＤアレイの第１列目と第２列目の間に形成され、第２列目は一方のＬＥＤアレイの第２列目と第３列目の間に形成され、第３列目は一方のＬＥＤアレイの第３列目の下に形成される。他方のＬＥＤアレイの第１列目と第２列目、及び第２列目と第３列目も互いに逆方向となるように形成され、第１列目の右端のＬＥＤ１は第２列目の右端のＬＥＤ１にエアブリッジ配線２８で接続され、第２列目の左端のＬＥＤ１は第３列の左端のＬＥＤ１にエアブリッジ配線２８で接続されてジグザグ状となる。他方のＬＥＤアレイの第１列目の左端のＬＥＤは基板１０の左上部に形成された電極３２にエアブリッジ配線２８で接続され、第３列目の右端のＬＥＤ１は基板１０の右下部に形成された電極３２にエアブリッジ配線２８で接続される。一方のＬＥＤアレイと他方のＬＥＤアレイの電極３２に対する極性は互いに逆である。発光装置（チップ）の全体形状は長方形である。電源が供給される２つの電極３２は、長方形の対角位置に離間して形成される点も着目されたい。
【００２９】
図７には、図６の回路図が示されている。それぞれのＬＥＤアレイはジグザグ状に屈曲しつつ直列接続され、２つのＬＥＤアレイはジグザグ状の各列が互いの列の間に形成される様子が明らかとなろう。このような配置とすることで、多数のＬＥＤ１を小さな基板１０上に配置することができる。また、４０個のＬＥＤ１に対して電極３２が２個でよいので、この点でも基板１０の使用効率を向上させることができる。また、各ＬＥＤ１を分離するためにＬＥＤ１を個別に形成する場合にはウエハをカットして分離する必要があるのに対し、本実施形態では各ＬＥＤ１の分離をエッチングで行うことができるので、ＬＥＤ１の間隔を狭くすることができる。これにより、サファイア基板１０の大きさをより小さくすることができる。ＬＥＤ１同士の分離は、フォトレジストや反応性イオンエッチング、ウエットエッチングを併用することでＬＥＤ１以外の領域を基板１０に達するまでエッチング除去することで達成される。各ＬＥＤアレイは交互に発光するので、発光効率を向上できるとともに放熱特性も向上させることができる。また、直列接続させるＬＥＤ１の数を変更すれば、全体としての駆動電圧も変更できる。また、ＬＥＤ１の面積を小さくすると、１つのＬＥＤ当たりの駆動電圧を高くすることもできる。ＬＥＤ１を２０個直列に接続した場合、商用電源（１００Ｖ、６０Ｈｚ）で駆動すると、およそ１５０ｍＷの発光出力を得ることができる。この場合の駆動電流としては２０ｍＡ程度である。
【００３０】
なお、図７から分かるように、２つのＬＥＤアレイをジグザグ状に交互に配列する場合、エアブリッジ配線２８に交叉部分３４が必然的に発生する。例えば、他方のＬＥＤアレイの第１列目と第２列目を接続する際に、一方のＬＥＤアレイの第１列目と第２列目を接続するための配線部分と交叉する。しかし、本実施形態のエアブリッジ配線２８は、上述したように基板１０に接着しておらず、基板１０から離れて空中を通過するので、交叉部分３４においてエアブリッジ配線２８同士が接触し、短絡することを容易に回避することができる。エアブリッジ配線２８を用いる利点の一つである。エアブリッジ配線２８は、例えば以下のようにして形成される。すなわち、全面に２μｍの厚さのフォトレジストを塗布し、エアブリッジ配線の形状に穴を開けた後にポストベークする。その上に、真空蒸着でＴｉを１０ｎｍ、Ａｕを１０ｎｍ、この順序で蒸着する。さらにその上の全面に２μｍ厚さでフォトレジストを再度塗布し、エアブリッジ配線を形成する部分のみに穴を開ける。次いで、ＴｉとＡｕを電極として電解液中でイオンプレーティング（メッキ）により電極全面に３〜５μｍの厚さのＡｕを付着させる。その後、試料をアセトンに浸し、超音波洗浄によりフォトレジストを溶解除去してエアブリッジ配線２８が完成する。
【００３１】
このように、複数のＬＥＤ１を二次元アレイ状に配置することで、基板面積を有効に活用しつつ高駆動電圧、特に商用電源での駆動も可能となるが、二次元アレイのパターンとしてはこの他にも種々のパターンが可能である。一般に、二次元アレイパターンとしては、以下の条件を備えることが望ましい。
【００３２】
（１）各ＬＥＤに均一に電流を流し、均一な発光を得るためには各ＬＥＤの形状、電極位置が同一であることが望ましい。
【００３３】
（２）ウエハをカットしてチップにするためには、各ＬＥＤの辺は直線であることが望ましい。
【００３４】
（３）光取り出し効率を向上させるため、標準的なマウントを使用して周辺からの反射を利用するためにはＬＥＤは平面形状が正方形に近い形状が望ましい。
【００３５】
（４）２つの電極（ボンディングパット）の大きさは１００μｍ角程度で、互いに離れていることが望ましい。
【００３６】
（５）ウエハ面積の有効利用のため、配線、パッドの占める割合は小さい方が望ましい。
【００３７】
もちろん、これらは必須ではなく、例えば各ＬＥＤの形状としては平面形状三角形を用いることも可能であろう。各ＬＥＤの形状が三角形であっても、これらを組み合わせることで全体形状を略正方形とすることができる。以下、二次元アレイパターンの例をいくつか示す。」
　
　ここで、図６は、次のものである。
　
３　引用発明
　
　上記２の引用刊行物の記載、特に図６に関する【００２８】によれば、引用刊行物には、
「サファイア基板１０上に合計４０個のＬＥＤ１が形成されており、この合計４０個のＬＥＤ１は、それぞれ２０個ずつ２組に分けられ、エアブリッジ配線２８により直列接続されて２つのＬＥＤアレイを形成しており、各ＬＥＤ１は全て同形の正方形で同サイズであり、一方のＬＥＤアレイは上から６個、７個、７個とそれぞれ直線上に配置され、上から第１列目（６個）と第２列目（７個）は互いに逆向きに形成され、第２列目と第３列目も互いに逆向きに形成されており、第１列目と第２列目、第２列目と第３列目は互いに離間して配置されており、第１列目の右端のＬＥＤ１と第２列目の右端のＬＥＤ１とはエアブリッジ配線２８により接続され、第２列目の左端のＬＥＤ１と第３列目の左端のＬＥＤ１もエアブリッジ配線２８で接続されてジグザグ配列となっており、第１列目の左端のＬＥＤ１は基板１０の左上部に形成された電極（パッド）３２にエアブリッジ配線２８で接続され、第３列目の右端のＬＥＤ１は基板１０の右下部に形成された電極（パッド）３２にエアブリッジ配線２８で接続され、２つの電極（パッド）３２もＬＥＤ１と同形の正方形であり、他方のＬＥＤアレイは、上述した一方のＬＥＤアレイの間隙に互い違いとなるように、すなわち、上から７個、７個、６個とそれぞれ直線上に配置され、上から第１列目は一方のＬＥＤアレイの第１列目と第２列目の間に形成され、第２列目は一方のＬＥＤアレイの第２列目と第３列目の間に形成され、第３列目は一方のＬＥＤアレイの第３列目の下に形成され、他方のＬＥＤアレイの第１列目と第２列目、及び第２列目と第３列目も互いに逆方向となるように形成され、第１列目の右端のＬＥＤ１は第２列目の右端のＬＥＤ１にエアブリッジ配線２８で接続され、第２列目の左端のＬＥＤ１は第３列の左端のＬＥＤ１にエアブリッジ配線２８で接続されてジグザグ状となっており、他方のＬＥＤアレイの第１列目の左端のＬＥＤは基板１０の左上部に形成された電極３２にエアブリッジ配線２８で接続され、第３列目の右端のＬＥＤ１は基板１０の右下部に形成された電極３２にエアブリッジ配線２８で接続され、一方のＬＥＤアレイと他方のＬＥＤアレイの電極３２に対する極性は互いに逆であり、全体形状は長方形である発光装置（チップ）。」（以下「引用発明」という。）
が記載されているものと認められる。
　
４　対比
　本願補正発明と引用発明を対比する。
　
（１）引用発明の「サファイア基板１０」及び「ＬＥＤ１」が本願補正発明の「基板」及び「発光セル」にそれぞれ相当するところであり、引用発明は、「サファイア基板１０上に合計４０個のＬＥＤ１が形成されて」いるから、「単一基板上に形成された複数の発光セル」を備える点で本願補正発明と一致する。　
　
（２）引用発明の「エアブリッジ配線２８」が本願発明の「配線」に相当するところであり、引用発明は、「前記複数の発光セルを互いに電気的に接続する複数の配線」を備える点で本願補正発明と一致する。
　
（３）引用発明において、「合計４０個のＬＥＤ１」は、「それぞれ２０個ずつ２組に分けられ、エアブリッジ配線２８により直列接続されて２つのＬＥＤアレイを形成しており」、その「一方のＬＥＤアレイ」及び「他方のＬＥＤアレイ」がそれぞれ本願補正発明の「第１直列アレイ」及び「第２直列アレイ」に相当するから、引用発明は、「前記複数の配線を介して互いに直列接続された前記複数の発光セルを備える第１直列アレイと、前記複数の配線を介して互いに直列接続された前記複数の発光セルを備える第２直列アレイ」を備える点で本願補正発明と一致する。
　
（４）引用発明の「ＬＥＤ１」が隣接する「ＬＥＤ１」と隔離して配列されていることは、図３、４に関する【００２３】〜【００２５】、特に【００２５】の記載からも明らかであり、引用発明は、「前記複数の発光セルは、縦方向において隣接する他の発光セルとで離間して配列され、かつ、横方向において隣接する他の発光セルと離隔して配列され」ている点で本願補正発明と一致する。
　
（５）引用発明において、「一方のＬＥＤアレイと他方のＬＥＤアレイの電極３２に対する極性は互いに逆」であり、【００２９】に記載されるように「商用電源（１００Ｖ、６０Ｈｚ）で駆動」されるから、引用発明の「発光装置（チップ）」は、本願補正発明と同様に「前記第１直列アレイ及び前記第２直列アレイは、交流電源に接続されて動作する、交流駆動型の発光ダイオード」といえる。
　
（６）以上によれば、本願補正発明と引用発明は、
「単一基板上に形成された複数の発光セルと、
　前記複数の発光セルを互いに電気的に接続する複数の配線と、
　前記複数の配線を介して互いに直列接続された前記複数の発光セルを備える第１直列アレイと、
　前記複数の配線を介して互いに直列接続された前記複数の発光セルを備える第２直列アレイと、を備え、
　前記複数の発光セルは、縦方向において隣接する他の発光セルと離間して配列され、かつ、横方向において隣接する他の発光セルと離隔して配列され、
　前記第１直列アレイ及び前記第２直列アレイは、交流電源に接続されて動作する、
　交流駆動型の発光ダイオード。」である点で一致し、以下のア及びイの点で相違するものと認められる。
　
ア　本願補正発明では、基板のサイズが「２０００×２０００μｍ２以下」とされているのに対し、引用発明では、サファイア基板１０のサイズが不明である点（以下「相違点１」という。）。
　
イ　本願補正発明では、前記複数の発光セルは、縦方向において１０〜３０μｍの範囲内で隣接する他の発光セルと互いに異なる距離で離間して配列され、かつ、横方向において１０〜３０μｍの範囲内で隣接する他の発光セルと互いに異なる距離で離隔して配列されているのに対し、引用発明では、ＬＥＤ１がこのように配列されているか不明である点（以下「相違点２」という。）。
　
５　判断
（１）相違点１について
　引用発明において、発光セルないし基板のサイズをどの程度のものとするかは、装置の特性や仕様に応じて当業者が設計上適宜定めるべき事項である。
　そして、引用発明は、「各ＬＥＤ１は全て同形の正方形で同サイズであり」、また、「２つの電極（パッド）３２もＬＥＤ１と同形の正方形であり」というものであるところ、引用刊行物の【００３５】には、「２つの電極（ボンディングパット）の大きさは１００μｍ角程度で、互いに離れていることが望ましい。」と記載されており、図６を参照すれば、「ＬＥＤ１」及び「電極（パッド）３２」を１００μｍ角程度とした場合、サファイア基板１０の大きさは、横方向に「ＬＥＤ１」及び「電極（パッド）３２」が７個分の７００μｍ程度、縦方向に６個分の６００μｍ程度となるものと考えられ、このことに照らして、基板のサイズを、本願補正発明が規定する２０００×２０００μｍ２以下となるものとすることに格別の困難はないものと認められる。
　
（２）相違点２について
　引用発明において、隣接するＬＥＤ１間の離隔距離をどの程度のものとするかは、製造技術や、素子に用いる材料系の特性や装置に求める仕様、求める歩留まり等、様々な点を考慮して、当業者が設計上適宜定めるべき事項である。
　そして、上記（１）で検討したように、例えば「ＬＥＤ１」を１００μｍ角程度とした場合に、１０〜３０μｍの範囲は、それらの離隔距離として普通に考えられる程度のものであって、離隔距離をかかる範囲内のものとすることに格別の困難はないものと認められる。
　さらに、引用発明において、隣接するＬＥＤ１間の離隔距離が互いに等しいものでなければならない格別の事情は認められず、隣接するＬＥＤ１間の離隔距離が互いに異なるものとすることに妨げがあるものとは認められない。
　また、本願明細書には、隣接セルとの離隔距離を互いに異なるものとすることについて、【００１０】及び【００２２】に、互いに異なる値を有してもよい旨の記載があるにとどまり、隣接セルとの離隔距離を互いに異なるものとすることに格別の意義があるものとも認められない。
　　　　
６　むすび
　以上のとおりであるから、本願補正発明は、引用刊行物に記載された発明に基づいて当業者が容易に発明できたものと認められ、特許法第２９条第２項の規定により、特許出願の際独立して特許を受けることができないものである。
　よって、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。　
　
第３　本願発明について
１　本願発明
　本件補正は上記のとおり却下されたので、本願の請求項に係る発明は、平成２２年５月１７日に補正された特許請求の範囲の請求項１ないし１６に記載された事項により特定されるものであるところ、その請求項１に係る発明（以下「本願発明」という。）は、次のとおりである。
「２０００×２０００μｍ２以下の単一基板上に形成された複数の発光セルと、
　前記複数の発光セルを互いに電気的に接続する複数の配線と、
　前記複数の配線を介して互いに直列接続された前記複数の発光セルを備える第１直列アレイと、を備え、
　前記複数の発光セルの少なくとも一つは、隣接する他の発光セルと１０〜３０μｍの範囲内の距離で互いに離隔して配列され、
　前記第１直列アレイは、交流電源に接続されて動作することを特徴とする交流駆動型の発光ダイオード。」
　
２　判断
　本願発明の発明特定事項を全て含み、さらに限定を付したものが本願補正発明であるところ、前記第２［理由］２以下において検討したように、本願補正発明が引用刊行物に記載された発明に基づいて当業者が容易に発明できたものであることに照らせば、本願発明が引用刊行物に記載された発明に基づいて当業者が容易に発明できたものであることは明らかである。
　
３　むすび
　以上のとおり、本願発明は、引用刊行物に記載された発明に基づいて当業者が容易に発明できたものであるから、特許法第２９条第２項の規定により特許を受けることができない。
　よって、結論のとおり審決する。